(57)【特許請求の範囲】
【請求項１】
開閉可能なファスナーを閉じることにより光ファイバの余長を収納保持する余長収納体であって、
シート部材の両面にファスナーを一体的に設けた少なくとも３つ以上の収納部材を有し、
前記ファスナーは光ファイバの巻き内径を制限する円形の内側ファスナーと前記光ファイバの巻き外径を制限する円形の外側ファスナーとを含み、
前記円形の内側ファスナーと前記円形の外側ファスナーとは同心状であり、
前記収納部材の径方向に前記光ファイバの導入、導出用の切欠部が設けられており、
前記ファスナーを閉じることにより前記収納部材の間に光ファイバの余長を収納保持する収納部が形成されることを特徴とする余長収納体。
【請求項２】
前記収納部材は中央部を円形にくりぬいた環状であることを特徴とする請求項１に記載の余長収納体。
【請求項３】
前記ファスナーの一部または全部を凹条体と凸条体の噛み合いで形成される線状ファスナーで形成したことを特徴とする請求項１または２に記載の余長収納体。
【請求項４】
前記ファスナーの一部または全部を凹凸片の噛み合いで形成される点状ファスナーで形成したことを特徴とする請求項１または２に記載の余長収納体。
【請求項５】
前記シート部材は塩化ビニールまたはポリエチレンの透明フィルムで形成されていることを特徴とする請求項１に記載の余長収納体。
【請求項６】
前記３つ以上の収納部材は、前記切欠部の位置を互いにずらせたことを特徴とする請求項１に記載の余長収納体。
【請求項７】
請求項１〜６のいずれか１項に記載の余長収納体に、光部品の光接続用の光ファイバを光ファイバ毎に収納保持させたことを特徴とする光部品。
【発明の詳細な説明】
【０００１】
【発明の属する技術分野】
本発明は、光ファイバの余長を処理する余長収納体、特に光部品の光接続用の光ファイバの余長を処理する余長収納体と光部品に関する。
【０００２】
【従来の技術】
光モジュールは、機能アップに加え小型化が望まれており、このため光部品は小型化や複合部品化がなされ、その組立ても狭いスペース内で精度よく組立てる必要がある。光モジュールに用いられる各種の光部品は、一般に、光部品の両側あるいは片側に光接続の端子としての光ファイバを備えている。この光接続用の光ファイバは、通常、光部品の評価、光配線、接続等のため所定長さの余長を有し、出荷時にはコイル状に巻取ってスポンジケース等に収納して保護している。そして、各種の光部品を複数組合わせて光モジュールを形成する場合、収納ケースから光ファイバを取り出して、一旦巻状態を解いて光ファイバ同士を接続する。この後、光部品の配置やモジュール基板や収納ケースの形状に応じて、光ファイバを基板に一体的に設けたリールに巻取ったり、基板上に引き回し配置して、光ファイバの余長を処理している。
【０００３】
図９は、光モジュール組立ての一例を示す図で、１は光モジュール、２は光部品、３は光ファイバ、４は融着接続部、５はモジュール基板を示す。光部品２は、光ファイバカプラ、光アイソレータ、光コネクタ等の単体の光部品の他、光分波器と受光ＰＤ素子と光アイソレータとを一体化したような複合光部品を用いる場合もある。これらの光部品２は、モジュール基板５上に取付けまたは配置され、光ファイバ３により光部品間の接続が行なわれる。光ファイバ３は、光部品２への入出力用として光部品２の端部から所定の余長で引き出されていて、これらの光部品２の光ファイバ同士を融着接続部４で接続することにより、光モジュール１が組立てられる。
【０００４】
光ファイバ３の余長は、融着接続の際に、光ファイバ３を光モジュール１から引き出し、融着接続器（図示せず）にセットするのに十分な長さが必要であり、光モジュール１の規模が大きくなるほど長さが必要で、通常数十センチ以上の余長が必要となる。光モジュール１の組立て途中で、光ファイバ３同士の余長が絡まり合うのを避けるために、複数の光部品２をモジュール基板５に固定しながら、光ファイバ３をリール（図示せず）等に巻いたり、基板上に引き回して束ねたりしている。また、引き回した光ファイバ３を一体的に取り扱えるように複数本の光ファイバ３を薄肉のシート材で一体的に封止保持するような処理も行なわれている。
【０００５】
また、光モジュール１の組立て手順にもよるが、複数の光ファイバ３を備える光部品２を使用する場合、後工程の融着接続のために光ファイバ３の余長を確保したままで、他の光ファイバをリール等に巻取ると、光ファイバの輻輳が避けられないことも多い。輻輳を無理に避けようとして光ファイバ３を引き回すと、光部品２の根元部分で光ファイバ３を切断してしまうこともあり、最小限の輻輳は容認せざるを得ない。しかし、光モジュール１の組立て途中で、光部品２を個別に交換したり、組立て後に光モジュール１の機能を拡充するために他の光部品を追加しようとする場合、リールに巻取られ輻輳状態で一体的になっていると、構成の変更が難しく事実上不可能となる。
【０００６】
一方、複数の光ファイバを薄肉のシート材で一体的に封止保持するようにしたものでは、前記の輻輳状態は回避できるものの、部分的に光ファイバが断線したような場合でも、シート材で一体保持している光ファイバは全て破棄せねばならず、当然、組立て後に光部品２を交換することもできない。
【０００７】
また、光モジュール１の組立てで、狭いスペース内で光ファイバ３をリールに巻取ったり、引き回す際に、あまり小さい半径で屈曲すると長期に亘って歪が加わって破断を起こしたり、光学的特性を損なうことがある。このため、光ファイバ３は、最小曲げ半径が決められており、この最小曲げ半径以上で光ファイバ３の余長を巻取り、引き回し配線する必要がある。この曲げ半径を確保しながらの組立て作業は労を要し、また、構成の変更、光部品の組み換えを一層困難のものとしている。
【０００８】
光ファイバの余長を処理するのに、例えば、特開平８−２２７０１７号公報に開示されるような袋状の収納シートを用いることが知られている。同公報で開示された余長収納シートは、光ファイバネットワークの加入者線路の接続点に設置される端子函や配線キャビネット内での余長処理に用いられるものである。図１０は、この収納シートの例を示す図で、図中、６は余長収納シート、７は袋体、８は開口部、９はファスナー、１０は曲げ半径保持部、１１は挿通口、１２は光ファイバ余長部、１３は接続部を示す。
【０００９】
この余長収納シート６は、全体がビニールやプラスチック等で形成された矩形状の袋体７の一辺を開口部８とし、開口部８に開閉自在なファスナー９を設けて構成されている。ファスナー９は、一方の側を凸条体９ａとし、他方の側を凹条体９ｂとし、端部の一方から互いに押込むことにより閉じられ、反対に引き離すことにより開かれる形状のものである。袋体７の内面の中央部には、環状の曲げ半径保持部１０が設けられ、この曲げ半径保持部１０は、ファスナー９と同様な凸条体と凹条体を用いて開閉自在に形成してある。
【００１０】
光ファイバの余長部１２は所定以上の曲げ半径で巻回して、袋体７のファスナー９および曲げ半径保持部１０を開いて袋体７内に入れられる。光ファイバ余長部１２を袋体７内に入れられた後、曲げ半径保持部１０を閉じて光ファイバ余長部１２の巻回内径を維持し、次いで、ファスナー９を閉じて袋体７内に光ファイバ余長部１２を収納する。光ファイバ余長部１２の両端１２ａは、ファスナー９に隣接して設けられた挿通口１１を通して、袋体７の両側から引き出される。また、光コネクタまたは融着接続等の接続部１３も、光ファイバ余長部１２とともに袋体７内に収納される。接続部１３を取替えるような場合は、ファスナー９および曲げ半径保持部１０を適当量開いて、必要な部分を取り出す。
【００１１】
以上のような余長収納シートを用いることにより、余長部の曲げ半径を一定以上に保持することができ、収納の作業効率を向上させることができ、光信号の乱れや損失増加を防止し光信号の伝送特性を安定に維持することができる。また、このような余長収納シートを用いることにより、複数の光ファイバの絡みや輻輳を防止できることが想定することができる。しかし、図１０に示される余長収納シートは、加入者線路の接続点に設置される端子函や配線キャビネットのような比較的大きな配線スペースを有する筐体内での使用には適しているが、光モジュールのように狭いスペース内で複数の光部品間を接続するには適していない。
【００１２】
【発明が解決しようとする課題】
本発明は、上述した事情に鑑みてなされたもので、光部品の光ファイバ余長を効果的に保持収納し、光モジュールの組立てを容易にするとともに、光モジュールの組立て後であっても構成の組換えを可能とする光ファイバの余長収納体と光部品を提供することを課題とする。
【００１３】
【課題を解決するための手段】
本発明の余長収納体は、開閉可能なファスナーを閉じることにより光ファイバの余長を収納保持する余長収納体であって、シート部材の両面にファスナーを一体的に設けた少なくとも３つ以上の収納部材を有し、前記ファスナーは光ファイバの巻き内径を制限する円形の内側ファスナーと前記光ファイバの巻き外径を制限する円形の外側ファスナーとを含み、前記円形の内側ファスナーと前記円形の外側ファスナーとは同心状であり、前記収納部材の径方向に前記光ファイバの導入、導出用の切欠部が設けられており、前記ファスナーを閉じることにより前記収納部材の間に光ファイバの余長を収納保持する収納部が形成されるように構成することを特徴とする。また、本発明の光部品は、前記の余長収納体に、光部品の光接続用の光ファイバを光ファイバ毎に収納保持させたことを特徴とする。
【００１４】
【発明の実施の形態】
図１〜図３により、本発明の第１の実施の形態を説明する。図１は光ファイバを端子とする光部品を示す図、図２（Ａ）は収納部材を示す図、図２（Ｂ）は余長収納体を示す図、図３（Ａ）は余長収納体を多数積層した場合の正面図、図３（Ｂ）および図３（Ｃ）は光ファイバ余長を収納する形態を示す図である。図中、２０は光部品、２１は光ファイバ、２２は余長収納体、２３は収納部材、２４はシート部材、２５は凹条体、２６は凸条体、２７ａは外側ファスナー、２７ｂは内側ファスナー、２８は切欠部、２９は円環状収納部、３０は接続部を示す。
【００１５】
図１に示すように、光分岐カプラのような光部品２０は、一方の端部に入力用の光ファイバ２１を有し、他方の端部からは出力用の２本の光ファイバ２１を有している。これらの光ファイバ２１は、他の光部品との光接続のための端子とされるもので、それぞれ所定の長さの余長を有している。これらの光ファイバ余長は、通常ループ状にして束ねたり、また、リールに巻いた状態で取り扱われている。本発明では、それぞれの光ファイバ２１の余長を環状の余長収納体２２で巻取るようにする。
【００１６】
余長収納体２２は、図２（Ａ）に示すような収納部材２３によって形成することができる。この収納部材２３は、塩化ビニールまたはポリエチレン等のフィルムからなる円形または環状のシート部材２４により形成する。なお、シート部材２４に透明フィルムを用いることにより、光ファイバの収納状態を透視することができ好都合である。収納部材２３は、シート部材２４の両面に凹条体２５および凸条体２６を設け、シート部材２４の一方の面に凹条体２５を設けたら、反対の面には凸条体２６を設けて構成する。凹条体２５と凸条体２６は雌型と雄型の関係で両者を互いに噛み合わせることで結合されもので、一般に、ファスナー付きのポリエチレン袋で知られているファスナーと同様なものである。この凹条体２５と凸条体２６は、収納部材２３の外側と内側に同心状に設け、外側ファスナー２７ａと内側ファスナー２７ｂとし、少なくとも内側ファスナー２７ｂは円形状に形成する。また、外側ファスナー２７ａを部分的に分断する形で、１つ以上の切欠部２８（図では、４つの切欠部を設けた例を示す）を設けてある。
【００１７】
余長収納体２２は、以上のように形成した収納部材２３を少なくとも２つ用意し、図２（Ｂ）で示すように、外側ファスナー２７ａと内側ファスナー２７ｂを閉じることにより形成される。外側ファスナー２７ａと内側ファスナー２７ｂを閉じることにより、環状の収納部２９を有する袋状の収納体が形成される。光ファイバの余長は、ループ状にして収納部２９内に収納され、光ファイバの両端は、切欠部２８を通して導入または導出される。なお、組合わされる２個の収納部材２３の切欠部２８の位置を互いにずらすことにより、光ファイバの導入、導出口を多くの位置に設けることができ、光ファイバの導入、導出の自由度を大きくすることができる。
【００１８】
図３（Ｂ）は、３個以上の収納部材２３を用いる例を示し、複数の収納部２９を多段に形成することができる。それぞれの収納部２９には、光ファイバ２１の余長を光ファイバ毎に収納し、互いに絡み合わないように区別することができる。図３（Ｃ）は、図２（Ｂ）の２つの収納部材２３で形成した余長収納体２２に予め光ファイバ２１を収納した後に、外表面に露出しているファスナー２７ａ，２７ｂを用いて複数の余長収納体２２を多段に積層させて集合一体化させる例を示す。この場合、光モジュールの組立て編成が容易となり、組立て後の再編成や光部品の交換時にも、光ファイバを収納保持させた状態でハンドリングできるので作業性がよくなる。
【００１９】
また、光ファイバ２１に光コネクタや融着接続のような接続部３０がある場合は、光ファイバ２１とともに収納部２９に入れることも可能であり、その他、光部品が小さい場合は、同様に収納部２９に入れることもできる。図３（Ｃ）の場合、収納部２９が１段おきに空室となるので、この空室を利用して接続部３０を入れて集合させるようにしてもよい。なお、各収納部材２３の切欠部２８は、図２（Ｂ）と同様に、互いにずらすことにより、光ファイバの導入、導出口を多くの位置に設けることができる。
【００２０】
光ファイバの余長を余長収納体２２に収納する場合、光ファイバの余長部分を外側ファスナー２７ａと内側ファスナー２７ｂの径の範囲内でループ状に巻いて、収納部２９に入れる。内側ファスナー２７ｂを閉じることにより、光ファイバの光学的または機械的特性によって決まる最小曲げ半径以下にファイバが曲げられないように制限される。そして、光ファイバの導入、導出口を定めて外側ファスナー２７ａを閉じることにより、光ファイバの外径が大きく広がらないように制限される。なお、外側ファスナー２７ａと内側ファスナー２７ｂは、どちらを先に閉じてもよく、また、ファスナーを部分的に閉じて光ファイバを収納するなど、作業しやすい形態で行なえばよい。
【００２１】
外側ファスナー２７ａと内側ファスナー２７ｂを閉じることにより、光ファイバ余長がバラけるのを防止するとともに、他の光部品の光ファイバと絡み合ったり輻輳するのを防止できる。したがって、従来のように光部品とは別に用意されるリールなどに光ファイバを改めて巻取る作業が軽減される。さらに、余長収納体２２は、ポリエチレンフィルム等をファスナーで単に開閉するだけの単純で軽量な収納構造であるので、光部品のハンドリングに際して、それぞれの光ファイバに負担をかけずに融着接続することが可能になり、接続作業に必要な光ファイバの余長を最小限に抑えて処理作業の手間も大幅に削減することができる。また、光部品毎に独立した光ファイバの収納を光部品と一体化することもでき、光モジュールをコンパクト化することもできる。
【００２２】
また、光ファイバ２１は、外側ファスナー２７ａと内側ファスナー２７ｂの径の差を利用して、余長収納体２２からの引き出し量を調整することができる。例えば、光ファイバ２１を余長収納体２２に収納する場合、光ファイバ余長を外側ファスナー２７ａの径に合わせた巻径で余長収納体２２に入れ、後に内側ファスナー２７ｂの径に巻き絞ることにより、光ファイバ２１の外への引き出し長さを長くすることができ、光モジュールの組立て時における配線引き回しを容易にすることができる。
【００２３】
図４は、第２の実施の形態を示し、図４（Ａ）は余長収納体の概略を示す図、図４（Ｂ）は、複数の余長収納体を組付けた図である。図中、３２は余長収納体、３３は円形収納部材、３４は矩形収納部材、３５ａは外側ファスナー、３５ｂは内側ファスナー、３５ｃは補助ファスナー、３６は切欠部、３８は保持チューブ、３９は電気端子を示す。その他、図１〜図３と同じものには、同一の符号を付して詳細説明を省略する。
【００２４】
図４に示す余長収納体３２は、図２と同様に塩化ビニールまたはポリエチレンフィルム等で形成された円形状の収納部材３３と矩形状の収納部材３４とで形成される。この第２の実施の形態では、ファスナーは、凹部片と凸部片の噛み合いで形成される点状のものが用いられ、図２と同様にシート部材の片面または両面に一体的に多数点在するように設けられる。この点状のファスナーは、適当な間隔に点在させて、外側ファスナー３５ａと内側ファスナー３５ｂとを同心状に形成することができる。その他、矩形状の収納部材の四辺に沿って、補助ファスナー３５ｃを両面に設けることができる。また、円形の収納部材３３には、光ファイバの導入、導出のための切欠部３６が複数箇所に設けられている。
【００２５】
円形状の収納部材３３と矩形状の収納部材３４を対にして、外側ファスナー３５ａと内側ファスナー３５ｂを閉じることにより、外側と内側ファスナー３５ａと３５ｂの間に環状の収納部が形成され、図２と同様にそれぞれの光ファイバ余長を個別に収納することができる。補助ファスナー３５ｃは、シート部材の両面に設けてあるので、他の余長収納体３２との連結または積層を容易に行なうことを可能とする。
【００２６】
図４（Ｂ）は、３つの余長収納体を３２ａ，３２ｂ，３２ｃを連結した一例を示した図である。複数の余長収納体３２は、余長収納体３２の個数、組立てられる光モジュールのスペース等によって、任意な形態で連結することができる。余長収納体３２の連結あるいは積層は、シート部材の両面に設けられた補助ファスナー３５ｃを、互いに噛み合わせることにより行なわれるが、外側ファスナー３５ａと内側ファスナー３５ｂの部分にも、シート部材の外面にファスナーを設け、余長収納体の連結に利用するようにしてもよい。連結用のファスナーの数が多ければ、連結形態の自由度を高めることができる。
【００２７】
以上のように、複数の余長収納体３２を連結または積層することにより、光部品とは別に１つの集合体として取り扱うことができ、これによる絡みや輻輳が生じるのを回避することができる。また、少なくとも一方の収納部材３４を矩形状とし、コーナー部分を利用して光部品２０を保持する保持チューブ等３８を取り付ける。これにより、余長収納体３２の一面側に光部品２０を載置させることができ、光ファイバ余長とともに一体化しやすくなる。そして、各光部品と一体に接続されている光ファイバ余長は、ファスナー３５ａ，３５ｂを単に開閉するだけの単純で軽量な収納構造の余長収納体３２に個別に収納され、各余長収納体３２同士も単純な着脱式のファスナー３５ｃで連結するだけなので、作業は簡単である。
【００２８】
したがって、光モジュールの一連の接続、組立て後に、光モジュール構成の再編成、光部品の交換等を容易に行なうことができる。新たな光部品を追加する場合も、接続すべき相手方光部品の光ファイバの余長収納体を集合部分から分離し、余長部分を引き出して融着接続し、新たな光部品の光ファイバも余長収納体に収納して、集合体に付け加えることで容易に再編成することができる。また、一般的には、例え、光モジュールの使用する光部品の構成が同一であっても、組付けるモジュール筐体が異なると配線形態を変更する必要があるが、本発明の余長収納体を用いると、自由に配線形態を変えることができ、多品種少量生産を行なうような光モジュールに対応させることができる。
【００２９】
図５は、第３の実施の形態を説明する図で、図５（Ａ）は光部品との集合構造を示す図、図５（Ｂ）は光部品の保持例を示す図である。図４で説明した構成の余長収納体３２をファスナーにより多数積層し、集合一体化するとともに、これらの光ファイバに接続されている複数の光部品２０も集合させて一体的に組付けようとするものである。光ファイバの余長部分は、それぞれの余長収納体３２に入れられるが、光部品２０は、余長収納体３２の外に宙ぶらりんの形で存在する。光部品２０が宙に浮いた状態で作業すると、機械的損傷や光伝送特性にも悪影響を生じやすい。
【００３０】
そこで、図４で説明したように、余長収納体３２を構成する一方の収納部材３４を矩形とし、コーナー部分を利用して光部品２０を保持することにより、余長収納体３２の一面側に光部品２０を集合させやすい構造となっている。また、内側ファスナーの内方中央部は、図２のように袋状としてもよいが、図１のようにくり抜いて円形のスペース３７とすることにより、組立て作業が容易となり、このスペース３７内に光部品等を配置させることもできる。
【００３１】
余長収納体３２の表面には、図４で説明したように相互に連結するためのファスナーが設けられているので、これらのファスナーで光部品２０を保持できるようにしてもよい。例えば、図５（Ｂ）に示すように、余長収納体３２のコーナー部分に、ゴムまたはビニールの保持バンドや熱収縮性チューブ３８等をファスナーを利用して着脱可能に取付け、光部品２０をこれらに保持させる。この他、光部品自体に余長収納体３２のファスナーと同様なファスナーを設けたり、光部品支持用のシート部材を別途用意し、余長収納体３２にファスナーで着脱可能に取付けるようにして構成することができる。このような光部品の保持構造を用いることで、光モジュールの組立て後の構成変更の自由度を犠牲にすることなく、従来の複数の光ファイバを薄肉のシート部材で一体的に封止保持するような処理を行なったのと同様の効果を得ることが可能となる。
【００３２】
なお、図１〜図５の実施の形態において、余長収納体のシート部材を全て矩形状のものを用いて構成してもよい。シート部材を全て矩形とした場合、外側ファスナーは、円形状で形成する以外に、例えば、シート部材の周辺に沿う矩形状としてもよく、光ファイバの飛び出しを防止できる形状であればよい。光ファイバの導入、導出用の切欠部は、外側ファスナーの開閉機能を損なわない範囲で、任意の数と任意の位置に設けることができる。また、外側ファスナー、内側ファスナー、補助ファスナーはシート部材と一体的に形成できるものであれば、線状ファスナー、点状ファスナー以外に、先端を鈎状、錨状等にした繊維状のファスナー、例えば、ベルクロファスナー（商用名）を用いてもよく、これらの各種のファスナーを組合わせて形成してもよい。なお、シート部材は、ポリエチレンや塩化ビニールの他、ポリエステル等の加工が容易で、入手容易な材料で形成してもい。
【００３３】
また、入出力用の光ファイバを光部品の一方の端部のみから引き出されている構成のものを用いることが好ましい。この場合、余長収納体を１つ用いるだけでよく、収納効率や作業効率を高めることができる。さらに、光部品の他方の端部側に電気端子３９を有している場合は、一方の端部側からのみ引き出されている光ファイバの余長引き出しは、自由度高く、回路基板上での光部品の配置を比較的自由にできるので、回路設計も容易になる。
【００３４】
図６〜図８は、本発明の使用例を示すもので、図６はモジュール化しようとする光増幅器の回路構成を示す図、図７は光部品の接続状態を示す図、図８は余長収納体の集合一体化を説明する図である。図中、２１，２１ａ〜２１ｉは光ファイバ、２２ａ〜２２ｉは余長収納体、３０，３０ａ〜３０ｆは融着接続部、４０は光増幅器、４１は光コネクタ、４２は光分岐カプラ、４３は光アイソレータ、４４は受光フォトダイオード（ＰＤ）、４５はＷＤＭ合波カプラ、４６は励起レーザダイオード（ＬＤ）、４７はエルビウムドープ光ファイバを示す。
【００３５】
光増幅器４０は、図６に示すように、光コネクタ４１から光入力信号が入力され、この光入力信号は光分岐カプラ４２により一部が入力モニタ用の受光ＰＤ４４に入力され、他は反射光を阻止するための光アイソレータ４３を経て、ＷＤＭ合波カプラ４５に入力される。ＷＤＭ合波カプラ４５には、他に励起用ＬＤ４６からのポンプ光が入力され、ＷＤＭ合波カプラ４５の出力は、増幅媒体としてのエルビウムドープ光ファイバ４７に入力される。エルビウムドープ光ファイバ４７の出力は、後方励起のための同様な回路構成４０’を経て光コネクタから増幅された光出力信号として出力するように構成される。各光部品の入出力側には、光接続のための光ファイバ２１が余長分を含めて一体的に設けられていて、融着接続部３０により相互接続される。
【００３６】
上述の光増幅器４０は、図７に示すように、本発明の余長収納体を用いることにより容易にモジュール化することができる。この使用例では、図２で説明した環状の余長収納体２２を用いて説明する。光入力信号が入力される光コネクタ４１は、光分岐カプラ４２の入力側光ファイバ２１ａと融着接続部３０ａにより接続し、その余長部を余長収納体２２ａに収納する。光分岐カプラ４２の出力側の２つの光ファイバの一方２１ｂは、受光ＰＤ４４に融着接続部３０ｂにより接続し、その余長部を余長収納体２２ｂに収納する。他方の光ファイバ２１ｃは、光アイソレータ４３の入力側光ファイバ２１ｄと融着接続部３０ｃにより接続し、光ファイバ２１ｃの余長部を余長収納体２２ｃに収納し、光ファイバ２１ｄの余長部を余長収納体２２ｄに収納する。
【００３７】
光アイソレータ４３の出力側光ファイバ２１ｅは、ＷＤＭ合波カプラ４５の一方の入力側光ファイバ２１ｆと融着接続部３０ｄにより接続し、光ファイバ２１ｅの余長部を余長収納体２２ｅに収納し、光ファイバ２１ｆの余長部を余長収納体２２ｆに収納する。ＷＤＭ合波カプラ４５の他方の入力側光ファイバ２１ｇは、励起用ＬＤ４６と融着接続部３０ｅにより接続し、光ファイバ２１ｇの余長部を余長収納体２２ｇに収納する。ＷＤＭ合波カプラ４５の出力側光ファイバ２１ｈは、エルビウムドープ光ファイバ４７と融着接続部３０ｆにより接続し、光ファイバ２１ｈの余長部を余長収納体２２ｈに収納する。エルビウムドープ光ファイバ４７は、余長収納体２２ｉに直接巻回収納され、その出力側光ファイバ２１ｉは、次段の光モジュール４０’に接続される。
【００３８】
以上のように各光部品が接続された後、枠５０で囲う余長収納体２２ａ〜２２ｅを、例えば、図８（Ａ）〜図８（Ｃ）に示すように、順次積層して集合させる。余長収納体の積層は、図３（Ｃ）で示したような形態で行ない、融着接続部３０ｂ〜３０ｃは、高強度接続で接続補強体の縮小を図り、余長収納体２２ａ〜２２ｅのいずれかに光ファイバ余長とともに収納させることができる。また、各光部品はモジュール基板に配設してもよいが、図５で説明したように積層された余長収納部に保持させるようにしてもよい。なお、残りの余長収納体２２ｆ〜２２ｉも同様に積層集合させ、さらに、余長収納体２２ａ〜２２ｅと一体化させることもできる。
【００３９】
なお、本発明の余長収納体を光部品の光ファイバ余長処理に用いることで説明したが、光ファイバネットワーク等の接続箱や配線キャビネット内での光ファイバ余長処理にも使用できることは明らかである。そして、上述したように、光ファイバの曲げ半径を維持して余長処理の作業性を高め、集合一体化して収納の省スペース化を図ることができる。
【００４０】
【発明の効果】
以上の説明から明らかなように、本発明によれば、光ファイバの余長処理を作業性よく行なうことができ、光モジュールの組立てが容易で、しかも光モジュールの組立て後であっても、構成の再編成、光部品の交換、追加を容易に行なうことができる。また、光ファイバの最小曲げ半径を保持して、絡み輻輳のない配線を行なうことができるとともに、集合一体化が容易に行なえるので光モジュールのコンパクト化を可能とする。また、円形の内側ファスナーと円形の外側ファスナーとを同心状としたことにより、収納部材の切欠部の位置を互いにずらすことにより、光ファイバの導入、導出口を多くの位置に設けることができ、光ファイバの導入、導出の自由度を大きくすることができる。
【図面の簡単な説明】
【図１】本発明による余長収納体を備えた光部品を示す図である。
【図２】本発明による余長収納体の第１の実施の形態を示す図である。
【図３】本発明による余長収納体に光ファイバを収納した状態を示す図である。
【図４】本発明による余長収納体の第２の実施の形態を示す図である。
【図５】本発明による余長収納体の第３の実施の形態を示す図である。
【図６】光増幅器の回路構成例を説明する図である。
【図７】図６の光増幅器を余長収納体用いて接続する状態を示す図である。
【図８】図７の一部を集合一体化する図である。
【図９】従来の光モジュールの一例を説明する図である。
【図１０】従来の余長収納体の一例を示す図である。
【符号の説明】
２０…光部品、２１…光ファイバ、２２…余長収納体、２３…収納部材、２４…シート部材、２５…凹条体、２６…凸条体、２７ａ…外側ファスナー、２７ｂ…内側ファスナー、２８…切欠部、２９…円環状収納部、３０…接続部、３２…余長収納体、３３…円形収納部材、３４…矩形収納部材、３５ａ…外側ファスナー、３５ｂ…内側ファスナー、３５ｃ…補助ファスナー、３６…切欠部、３７…スペース、３８…保持チューブ、３９…電気端子。
【図１】
0004310604.tif 000002
【図２】
0004310604.tif 000003
【図３】
0004310604.tif 000004
【図４】
0004310604.tif 000005
【図５】
0004310604.tif 000006
【図６】
0004310604.tif 000007
【図７】
0004310604.tif 000008
【図８】
0004310604.tif 000009
【図９】
0004310604.tif 000010
【図１０】
0004310604.tif 000011